(57)【要約】【課題】衣服への着脱が容易な衣服用ファンとファン付き衣服を提供する。【解決手段】モータファン１０を本体ハウジング１５に収容した本体１３と、該本体１３に着脱自在に取り付けられる保持リングとを備え、本体ハウジング１５は、衣服１００の取り付け孔１０１に挿入される筒状の周壁部１８と、該周壁部１８の一端部側の外周面に突設された本体フランジ部１９とを備え、保持リングは、本体ハウジング１５の周壁部１８の外周面に他端部側から装着される構成であって且つ軸線回りの一方向に回転させることで本体フランジ部１９に接近して本体フランジ部１９との間に衣服１００を挟み込む構成であり、本体フランジ部１９の外周面１９ｃと背面１９ｂのうち少なくとも一方に、手の引っ掛かりとなる凹凸が形成されている。【選択図】図２
2019049209.tif 000002
【特許請求の範囲】
【請求項１】
衣服の取り付け孔に取り付けられて衣服の表側と裏側を通気させるための衣服用ファンであって、
モータファンを本体ハウジングに収容した本体と、該本体に着脱自在に取り付けられる保持リングとを備え、
本体ハウジングは、衣服の取り付け孔に挿入される筒状の周壁部と、該周壁部の一端部側の外周面に突設された本体フランジ部とを備え、
保持リングは、本体ハウジングの周壁部の外周面に他端部側から装着される構成であって且つ軸線回りの一方向に回転させることで本体フランジ部に接近して本体フランジ部との間に衣服を挟み込む構成であり、
本体フランジ部の外周面と背面のうち少なくとも一方に、手の引っ掛かりとなる凹凸が形成されていることを特徴とする衣服用ファン。
【請求項２】
本体フランジ部の外周面と背面のそれぞれに凹凸が形成されており、本体フランジ部の外周面の凹凸と背面の凹凸が連続している請求項１記載の衣服用ファン。
【請求項３】
保持リングは本体フランジ部と共に衣服を狭持するためのリングフランジ部を備え、本体フランジ部の外周面に凹凸が形成されており、本体フランジ部の外周面の凹部における直径は、リングフランジ部の直径よりも大きい請求項１又は２記載の衣服用ファン。
【請求項４】
衣服と、請求項１乃至３の何れかに記載の衣服用ファンとを備えたファン付き衣服。
【発明の詳細な説明】
【技術分野】
【０００１】
本発明は、衣服の取り付け孔に取り付けられる衣服用ファンと、該ファンを備えた衣服に関する。
【背景技術】
【０００２】
この種の衣服用ファンとして、下記特許文献１には、衣服の外側に位置する外部取付部品のフランジ部と、衣服の内側に位置する内部取付部品のフランジ部との間に衣服の取り付け孔の開口縁部を挟み込むことにより、衣服の取り付け孔に衣服用ファンを取り付ける構成が記載されている。そして、外部取付部品と内部取付部品をゴムベルトで連結して互いに分離しないようにしている。
【０００３】
しかしながら、ゴムベルトを使用して両部品を連結する構成であるために衣服への取り付け作業が煩雑である。
【先行技術文献】
【特許文献】
【０００４】
【特許文献１】特許第４３９９７６５号公報
【発明の概要】
【発明が解決しようとする課題】
【０００５】
それゆえに本発明は上記従来の問題点に鑑みてなされ、衣服への着脱が容易な衣服用ファンと、ファン付き衣服を提供することを課題とする。
【課題を解決するための手段】
【０００６】
本発明は上記課題を解決すべくなされたものであって、本発明に係る衣服用ファンは、衣服の取り付け孔に取り付けられて衣服の表側と裏側を通気させるための衣服用ファンであって、モータファンを本体ハウジングに収容した本体と、該本体に着脱自在に取り付けられる保持リングとを備え、本体ハウジングは、衣服の取り付け孔に挿入される筒状の周壁部と、該周壁部の一端部側の外周面に突設された本体フランジ部とを備え、保持リングは、本体ハウジングの周壁部の外周面に他端部側から装着される構成であって且つ軸線回りの一方向に回転させることで本体フランジ部に接近して本体フランジ部との間に衣服を挟み込む構成であり、本体フランジ部の外周面と背面のうち少なくとも一方に、手の引っ掛かりとなる凹凸が形成されていることを特徴とする。尚、本体フランジ部の背面とは、保持リングと共に衣服を狭持するための狭持面とは反対側の面である。
【０００７】
該構成の衣服用ファンを衣服に取り付ける際、例えば本体ハウジングの周壁部を衣服の表側から取り付け孔に挿入する。本体ハウジングの周壁部は取り付け孔を通って衣服の裏側に突出する一方、本体フランジ部は取り付け孔を通らずに衣服の表側に位置して衣服の表面に当接する。そして、衣服の裏側に突出した本体ハウジングの周壁部の外周面に衣服の裏側から保持リングを装着する。その際、保持リングを軸線回りの一方向に回転させることで本体フランジ部に接近させることができる。このように保持リングを一方向に回転操作することで、本体フランジ部と保持リングとの間に衣服を挟み込んで、衣服用ファンを衣服に取り付ける。逆に、衣服から衣服用ファンを取り外す際には、保持リングを取り付け時とは反対方向に回転させることで、本体から保持リングを容易に取り外すことができる。このように保持リングを本体に対して相対的に回転させることで衣服用ファンの着脱を行うことができる。その際、例えば一方の手で本体フランジ部を抑えて、他方の手で保持リングを把持して回転させることになる。本体フランジ部は比較的薄いものであって掴みにくく、その回転を止めにくいものであるが、その本体フランジ部の外周面や背面に凹凸が形成されているので、その凹凸に手を引っ掛けて本体を固定することができる。従って、保持リングを回転させる際に、本体が保持リングと共に共回りすることがなく、保持リングのみを確実に回転させて衣服用ファンを衣服に作業性良く着脱できる。また、このような衣服用ファンの本体には一般的に給電用のコネクタが接続されるが、保持リングのみを確実に回転させて衣服用ファンを衣服にしっかりと取り付けることができるので、衣服用ファンが衣服に対して回転することによって給電用のコネクタが意図しない方向に引っ張られて給電用のコネクタが破損するという現象を防止することができる。
【０００８】
特に、本体フランジ部の外周面と背面のそれぞれに凹凸が形成されており、本体フランジ部の外周面の凹凸と背面の凹凸が連続していることが好ましい。このように凹凸が本体フランジ部の外周面から背面にかけて連続した形状となっていると、本体フランジ部の外周面と背面との境界部分において凸部が角部となり、その角部に指先が引っ掛かりやすくなる。従って、本体フランジ部をより一層しっかりと固定することができる。
【０００９】
また、保持リングは本体フランジ部と共に衣服を狭持するためのリングフランジ部を備え、本体フランジ部の外周面に凹凸が形成されており、本体フランジ部の外周面の凹部における直径は、リングフランジ部の直径よりも大きいことが好ましい。本体フランジ部の外周面に凹凸が形成されている場合、本体フランジ部の外周面の凹部を指先で把持することにより、しっかりと本体フランジ部を把持することができる。その際、本体フランジ部の外周面の凹部を把持した指先が本体フランジ部の外周面から衣服を介して正面側即ち保持リング側に突出することがある。そのような場合に、本体フランジ部の正面側に対峙しているリングフランジ部が小径であると、指先が服地を介してリングフランジ部の外周面に当たりにくくなり、保持リングをスムーズに回転させることができる。
【００１０】
また、本発明に係るファン付き衣服は、衣服と上述の衣服用ファンとを備えたものである。
【発明の効果】
【００１１】
以上のように、保持リングの回転操作という簡単な操作で衣服に着脱できる。また、本体フランジ部の外周面や背面に手の指が引っ掛かる凹凸が形成されているので、衣服に作業性良く着脱できる。また、衣服にしっかりと取り付けることができる。
【図面の簡単な説明】
【００１２】
【図１】本発明の一実施形態における衣服用ファンの本体を正面側から見た斜視図。
【図２】同本体を背面側から見た斜視図。
【図３】同本体の正面図。
【図４】同本体の背面図。
【図５】図衣服用ファンの保持リングを正面側から見た斜視図。
【図６】同衣服用ファンの本体フランジ部の外周面とリングフランジ部の外周面との関係を示した概略図。
【図７】同衣服用ファンを正面側から見た斜視図。
【図８】同衣服用ファンの断面図。
【図９】同衣服用ファンにＬ型のオス側コネクタを接続した状態であってＬ型のオス側コネクタを右側に向けた状態を示しており、（ａ）は要部正面図、（ｂ）は側面図。
【図１０】同衣服用ファンにＬ型のオス側コネクタを接続した状態であってＬ型のオス側コネクタを左側に向けた状態を示しており、（ａ）は要部正面図、（ｂ）は側面図。
【図１１】同衣服用ファンを衣服に取り付けた使用状態を示し、（ａ）は正面図、（ｂ）は背面図。
【図１２】本発明の他の実施形態における衣服用ファンの本体を背面側から見た斜視図。
【図１３】本発明の他の実施形態における衣服用ファンの側面図。
【図１４】図１３のＡ−Ａ断面図。
【図１５】同衣服用ファンの本体を正面側から見た斜視図。
【図１６】同衣服用ファンの保持リングを示し、（ａ）は正面側から見た斜視図、（ｂ）は断面図。
【発明を実施するための形態】
【００１３】
以下、本発明の一実施形態にかかる衣服用ファン１について図１〜図１１を参酌しつつ説明する。本実施形態における衣服用ファン１は、衣服１００に形成された取り付け孔１０１に取り付けられる。図１１に取付状態の一例を示している。冷却ファン装置は、衣服用ファン１と、バッテリ２と、バッテリ２と衣服用ファン１とを電気的につないでバッテリ２の電力を衣服用ファン１に供給するための給電ケーブル３とを備えている。衣服１００に取り付ける衣服用ファン１の個数や配置等については任意であるが、本実施形態では、衣服用ファン１を二つ左右に並べる構成を例示している。取り付け孔１０１は衣服１００の後ろ身頃の下部に左右一対対称配置で形成されており、その左右の取り付け孔１０１にそれぞれ衣服用ファン１が取り付けられる。バッテリ２は前身頃の裏面（内面）に取り付けられる。例えば、左側の前身頃の下部にバッテリ２が取り付けられて、バッテリ２から左右一対の衣服用ファン１との間が一つの給電ケーブル３によって接続される。給電ケーブル３は、バッテリ２から水平方向に延びて左右の衣服用ファン１に達する。給電ケーブル３は、途中で二股に分岐していて、分岐した各端部にはＬ型のオス側コネクタ４（図９、図１０参照）が備えられており、オス側コネクタ４が衣服用ファン１に接続される。
【００１４】
図８のように、衣服用ファン１は、モータ１１によって駆動されて回転するモータファン１０を備えていて、モータファン１０が回転することによって、衣服用ファン１の内側を背面側から正面側へと流れる空気流が発生し、取り付け孔１０１を介して衣服１００の表側と裏側とを通気する。通常は、モータファン１０が回転することによって衣服１００の表側から空気を取り込んで裏側へ空気を排出する。即ち、衣服１００と体との間の隙間に外部の空気を送り込んで、体を冷却する。衣服１００の裏側に送り込まれた空気は、例えば衣服１００の袖口や首元から外部に排出される。
【００１５】
モータファン１０はモータ１１の主軸１２に一体的に取り付けられている。説明の都合上、モータファン１０の回転中心線の方向を上下方向とし、衣服１００への取付状態において衣服１００の裏側となる方を上側（正面側）、衣服１００の表側となる方を下側（背面側）として説明する。衣服１００の取り付け孔１０１は丸形であり、衣服用ファン１は、取り付け孔１０１の形状に対応して図３のように正面視円形状であって、その中心線上にモータファン１０の回転中心が位置している。衣服用ファン１は、上下方向の寸法（高さ）に対して直径が大きい扁平の円柱状である。
【００１６】
衣服用ファン１は、モータファン１０及び該モータファン１０の駆動源であるモータ１１を内蔵する本体１３と、該本体１３に着脱自在に取り付けられる保持リング１４とを備えている。本体１３は、本体ハウジング１５を備えており、該本体ハウジング１５の内側にモータファン１０とモータ１１が収容されている。本体ハウジング１５は、扁平の筒状であって、底面部１６と、天面部１７と、底面部１６の周縁部と天面部１７の周縁部とを上下に連結する筒状の周壁部１８とを備えており、周壁部１８の一端部である下端部には径方向外側に向けて本体フランジ部１９が周設されている。尚、本体ハウジング１５と保持リング１４は軽量化のために何れも合成樹脂製とすることが好ましい。
【００１７】
＜底面部１６＞
底面部１６は、平坦状であってもよいが、図８のように下側に向けて若干膨出した凸面状とされている。底面部１６には、多数の通気孔２０が形成されている。モータファン１０が回転することで底面部１６の通気孔２０から空気が本体ハウジング１５の内部に流入する。従って、底面部１６の通気孔２０は吸気側の通気孔２０である。
【００１８】
＜周壁部１８＞
周壁部１８は、上部１８ａと下部１８ｂに区画され、上部１８ａには多数の通気孔２４が形成されている一方、下部１８ｂには通気孔２４は形成されていない。周壁部１８の下部１８ｂの外周面は上下方向に沿って径一定で延びている。周壁部１８の上部１８ａは周壁部１８の下部１８ｂに対して一段小径となっていて天面部１７となだらかにつながっている。
【００１９】
周壁部１８の下部１８ｂの外周面には雄ネジ部２１が形成されている。図８に示しているように、雄ネジ部２１のネジ山の先端部は先鋭に尖った形状や角張った形状ではなく断面視円弧状に丸味を帯びている。尚、図示しないが、周壁部１８等の本体ハウジング１５には、雄ネジ部２１の上側の始点である端部の位置を示す目印を設けておくことが好ましい。
【００２０】
＜本体フランジ部１９＞
本体フランジ部１９は周壁部１８の軸線方向に対して直交する方向である径方向外側に向けて延びている。本体フランジ部１９の上面即ち正面は、衣服１００の表面に当接する狭持面１９ａとなっていて、該狭持面１９ａは上下方向に対して直交する面であって所定幅を有する環状である。また、本体フランジ部１９の狭持面１９ａに対して周壁部１８の下部１８ｂの外周面は直交している。
【００２１】
本体フランジ部１９の狭持面１９ａには、衣服１００の表面に押し付けられる押圧突起２３が形成されている。該押圧突起２３の形状、配置、個数等は任意であるが、図３のように、周方向に等間隔で配置されることが好ましく、例えば９０度間隔で合計四箇所に形成される。但し、押圧突起２３を１８０度間隔で二箇所形成したり１２０度間隔で三箇所形成したりしてもよい。押圧突起２３は、例えば径方向に沿って筋状に延びる形状としてよい。また、押圧突起２３は下端よりも上端の方が幅狭となる形状であることが好ましい。
【００２２】
本体フランジ部１９の外周面１９ｃには凹凸が形成されている。本体フランジ部１９の外周面１９ｃの凹凸を構成している外周凸部７０と外周凹部７１は、それぞれ径方向外側に突出した部分と径方向内側に凹んだ部分である。外周凸部７０と外周凹部７１は、周方向に交互に並んで配置されていて全周に亘って形成されている。詳細には、外周凸部７０は周方向に一定間隔毎に配置され、外周凹部７１も同様に周方向に一定間隔毎に配置されている。外周凸部７０と外周凹部７１の個数は任意であるが、本実施形態ではそれぞれ１０個ずつ形成されている。また、本実施形態においては外周凹部７１の周方向の長さは外周凸部７０の周方向の長さよりも長いが、同じであってよいし、逆に外周凸部７０の方が長くてもよい。但し、外周凹部７１の周方向の長さは、手の指の幅、例えば通常の大人の人差し指等の指が入る程度の長さであることが好ましい。外周凹部７１は、本体フランジ部１９の外周面１９ｃを部分的に径方向内側に矩形状に切り欠くことによって形成されており、切り欠かれずに残った外周面の部分が相対的に径方向外側に突出して外周凸部７０を構成している。複数の外周凸部７０は全て同じ形状、大きさであり、複数の外周凹部７１もまた全て同じ形状、大きさであるが、互いに異なる形状や大きさであってもよい。外周凹部７１の深さは全て同じであり、従って、外周凹部７１に対する外周凸部７０の径方向外側への突出量も全て同じであるが、異なっていてもよい。外周凸部７０の頂面と周方向の両側面との間の角度は略９０度となっており、外周凸部７０の周方向の両側面と外周凹部７１の底面との間の角度も略９０度となっている。外周凸部７０と外周凹部７１の境界部分は直線状であって上下方向即ち本体フランジ部１９の厚さ方向に延びている。
【００２３】
本体フランジ部１９の背面１９ｂは、狭持面１９ａと同様に環状であって、底面部１６の径方向外側に位置している。本体フランジ部１９の背面１９ｂと狭持面１９ａは互いに平行である。本体フランジ部１９の背面１９ｂにも手の指の引っ掛かりとなる凹凸が形成されている。本体フランジ部１９の背面１９ｂの凹凸を構成している背面凸部７２と背面凹部７３は、それぞれ背面側に向かって突出した部分と正面側に向かって凹んだ部分である。背面凸部７２は、本体フランジ部１９の厚さが相対的に背面側に厚くなった部分であり、背面凹部７３は、本体フランジ部１９の厚さが相対的に薄くなった部分である。背面凸部７２と背面凹部７３は、それぞれ本体フランジ部１９の背面１９ｂの径方向の略全幅に亘って形成されていて、従って、本体フランジ部１９の背面１９ｂは、複数の背面凸部７２と複数の背面凹部７３に区分される。背面凸部７２と背面凹部７３の境界部分は直線状であって径方向に延びている。背面凹部７３の深さは全て同じであり、従って、背面凹部７３に対する背面凸部７２の背面側への突出量も全て同じであるが、異なっていてもよい。背面凸部７２の頂面と背面凹部７３の底面は何れも背面側を向いている平面である。背面凸部７２の頂面と周方向の両側面との間の角度は略９０度となっており、背面凸部７２の周方向の両側面と背面凹部７３の底面との間の角度も略９０度となっている。
【００２４】
背面凸部７２と背面凹部７３は、本体フランジ部１９の背面１９ｂの全周に亘って周方向に交互に並んで配置されている。背面凸部７２と背面凹部７３の個数は任意であるが、本実施形態ではそれぞれ８個ずつ形成されている。複数の背面凸部７２は全て同じ形状、大きさであるが、異なっていてもよい。複数の背面凹部７３は二箇所を除いて全て同じ形状、大きさである。二箇所の背面凹部７３は他の背面凹部７３よりも周方向の長さが長く、２個の背面凹部７３と１個の背面凸部７２とを合わせた長さ分となっている。
【００２５】
背面凸部７２は、周方向において外周凸部７０と同じ位置に形成されていて、外周凸部７０と背面凸部７２は本体フランジ部１９の外周面１９ｃから背面１９ｂにかけて連続してつながっている。但し、合計１０個の外周凸部７０のうち２個の外周凸部７０に対応した位置には背面凸部７２が存在していない。また、背面凹部７３も、周方向において外周凹部７１と同じ位置に形成されていて、外周凹部７１と背面凹部７３は本体フランジ部１９の外周面１９ｃから背面１９ｂにかけて連続してつながっている。従って、外周凸部７０の周方向の両側面と背面凸部７２の周方向の両側面は連続していて本体フランジ部１９の外周面１９ｃから背面１９ｂにかけて直線状に延びている。
【００２６】
＜天面部１７＞
天面部１７は、全体として上側に膨出するドーム状である。天面部１７は、円形の頂上部１７ａにおいて略平坦となっていて、その頂上部１７ａの周縁部から径方向外側に向けて徐々に下降して周壁部１８とつながっている。即ち、天面部１７は、中央部に位置する頂上部１７ａと、該頂上部１７ａの径方向外側に環状に周設されて頂上部１７ａから周壁部１８にかけて徐々に下降するテーパ状の肩部１７ｂとを備えている。天面部１７の肩部１７ｂには、多数の通気孔２４が形成されている。尚、周壁部１８の上部１８ａの通気孔２４と天面部１７の周縁部の通気孔２４は連続した孔形状となっている。このように天面部１７の肩部１７ｂから周壁部１８の上部１８ａにかけて多数形成された通気孔２４は、排気側の通気孔２４であって、モータファン１０が回転することで空気が通気孔２４を通って本体ハウジング１５の内部から外部に排出される。
【００２７】
天面部１７の頂上部１７ａと肩部１７ｂの境界部近傍に差し込み口２５が形成されており、その差し込み口２５の内側（内部）には受電コネクタ２６が配置されている。受電コネクタ２６は天面部１７の頂上部１７ａの下側に位置している。給電ケーブル３のＬ型のオス側コネクタ４が差し込み口２５を介して受電コネクタ２６に接続され、受電コネクタ２６からモータ１１へと電力が供給される。差し込み口２５は、本体ハウジング１５の上部１８ａに位置していて、径方向外側に向けて開口している。従って、オス側コネクタ４は受電コネクタ２６に径方向に接続される。
【００２８】
差し込み口２５の周囲には、オス側コネクタ４との干渉を回避するための逃げ部２７が凹設されている。該逃げ部２７は、天面部１７の肩部１７ｂの全周のうち所定箇所に一箇所形成されている。逃げ部２７は、天面部１７の肩部１７ｂから周壁部１８の上部１８ａにかけて形成されていて、その周方向の左右両側に対して一段下側に凹んだ凹部として形成されている。逃げ部２７は、正面視において扇状であってその中心角は例えば４０〜６０度程度とされている。
【００２９】
また、逃げ部２７は、差し込み口２５を正面に見た場合において、差し込み口２５を中心として左右対称形状とされている。オス側コネクタ４は、受電コネクタ２６に接続した状態において、その接続方向の軸線回りに回転させることができる。オス側コネクタ４を受電コネクタ２６に接続した状態において、図９のようにオス側コネクタ４を右側に水平に倒した状態から図１０のようにオス側コネクタ４を左側に水平に倒した状態まで、オス側コネクタ４を１８０度回転させることができる。図９のようにオス側コネクタ４を右側に水平に倒した状態を０度位置とし、図１０のようにオス側コネクタ４を左側に水平に倒した状態を１８０度位置としたとき、オス側コネクタ４を０度位置から１８０度位置まで１８０度の角度範囲で自由に回転させることができる。
【００３０】
図１のように、逃げ部２７の外周縁部にはコネクタ抑え２８が上方に向けて突設されている。該コネクタ抑え２８は、逃げ部２７の左右両端部にそれぞれ形成されている。コネクタ抑え２８は、差し込み口２５に接続されたオス側コネクタ４の径方向外側に位置して、オス側コネクタ４が差し込み口２５から径方向外側に抜け外れることを阻止する。図９（ｂ）のように、差し込み口２５に差し込んだオス側コネクタ４を０度位置としたとき、そのオス側コネクタ４の径方向外側に右側のコネクタ抑え２８が位置する。図１０（ｂ）のように、オス側コネクタ４を１８０度位置としたとき、そのオス側コネクタ４の径方向外側に左側のコネクタ抑え２８が位置する。このように、オス側コネクタ４は、０度位置と１８０度位置の両方においてそれぞれコネクタ抑え２８によって径方向外側から規制されて差し込み口２５からの抜け落ちが阻止される。オス側コネクタ４の差し込み口２５への接続や差し込み口２５からの取り外しは、オス側コネクタ４を０度位置と１８０度位置の間の中間位置に位置させたときに可能である。
【００３１】
尚、逃げ部２７の形成領域は、種々の形状であってよい。逃げ部２７の形成領域を所定の中心角を有する正面視扇状とするのではなく、正面視において本体１３の中心から所定距離離間した位置に径方向と直交する方向に引いた直線によって区画されるＤカット状としてもよい。
【００３２】
＜本体ハウジング１５の部材構成＞
本体ハウジング１５は複数の部材から構成されている。即ち、本体ハウジング１５は、下側に位置するベース３０と、該ベース３０の上側に連結されるメッシュ状のカバー３１と、カバー３１に連結されるキャップ３２とから構成されている。ベース３０は、本体ハウジング１５の底面部１６と本体フランジ部１９と周壁部１８の下部１８ｂを構成しており、従って、本体ハウジング１５の底面部１６と本体フランジ部１９と周壁部１８の下部１８ｂは一つの部材として一体的に形成されている。カバー３１は、本体ハウジング１５の周壁部１８の上部１８ａと天面部１７の肩部１７ｂの大部分を構成しており、カバー３１に逃げ部２７が形成されている。カバー３１の下端部がベース３０の上端部の径方向内側に連結されている。カバー３１の上部中央部には円形の開口部３５が形成されていて、その開口部３５をキャップ３２が覆うように、キャップ３２がカバー３１に装着されている。キャップ３２は、本体ハウジング１５の天面部１７の頂上部１７ａと肩部１７ｂの上端部を構成している。また、カバー３１は、開口部３５から内側且つ下側に延びるモータ保持部３６を備えており、該モータ保持部３６にモータ１１が下側から取り付けられている。従って、モータ１１は、カバー３１の内側に吊り下げ保持された状態にある。カバー３１のモータ保持部３６とキャップ３２との間に受電コネクタ２６が配置されている。
【００３３】
＜保持リング１４＞
保持リング１４は、本体ハウジング１５の周壁部１８の下部１８ｂの外周面に装着される。上述のように本体ハウジング１５の周壁部１８の下部１８ｂの外周面には雄ネジ部２１が形成されているが、それに対応して保持リング１４の内周面には図５のように雌ネジ部４０が形成されており、保持リング１４は本体１３に上側から螺着される。雌ネジ部４０は、保持リング１４の内周面の全周に亘って連続して形成されていてもよいが、本実施形態では、保持リング１４の内周面の全周のうち所定角度範囲のみに形成されている。即ち、保持リング１４の内周面の全周は、雌ネジ部４０が形成された角度範囲と、雌ネジ部４０が形成されていない角度範囲４１とから構成されている。雌ネジ部４０が形成されていない角度範囲４１は１８０度対向して二箇所設けられており、従って、雌ネジ部４０が形成された角度範囲も周方向に間隔をあけて二箇所設けられている。但し、雌ネジ部４０が形成された角度範囲や雌ネジ部４０が形成されていない角度範囲４１の数や配置は任意であって種々変更してよい。
【００３４】
保持リング１４は、軸線方向の寸法に対して径方向の寸法が小さい薄肉の筒状である。保持リング１４の下端部には径方向外側に向けてリングフランジ部４３が周設されている。リングフランジ部４３の直径は、本体フランジ部１９の直径よりも小さい。具体的には、図６に示しているように、本体フランジ部１９の外周面１９ｃには上述のように外周凸部７０と外周凹部７１が形成されていて、外周凸部７０においては相対的に直径が大きく、外周凹部７１においては相対的に直径が小さいが、その外周凹部７１における本体フランジ部１９の直径よりもリングフランジ部４３の直径の方が小さい。
【００３５】
尚、リングフランジ部４３の外周面の全周のうち一箇所には切欠部４６が形成されている。該切欠部４６は、雌ネジ部４０の下側の始点である端部の位置を示すための目印である。上述のように本体１３側にも目印を設けておけば、本体１３側の目印の位置に保持リング１４側の目印である切欠部４６の位置を合わせることで、保持リング１４の無駄な空転をなくして本体１３の雄ネジ部２１に保持リング１４の雌ネジ部４０を直ちに螺合開始させることができる。本実施形態では切欠部４６を目印として設けたが、切欠部４６ではなく凸部であってもよいし、リングフランジ部４３の外周面ではなく、リングフランジ部４３の狭持面４３ａとは反対側の上面（正面）に溝や筋等を設けたりしてもよい。また、リングフランジ部４３ではなく保持リング１４の外周面等に目印を設けてもよい。
【００３６】
保持リング１４の下端面即ちリングフランジ部４３の下面が保持リング１４の狭持面４３ａである。リングフランジ部４３は略水平に延びており、保持リング１４の狭持面４３ａは保持リング１４の軸線方向と直交する面であり且つ水平面であって、凹凸のない平滑面となっている。保持リング１４の狭持面４３ａと本体１３の狭持面１９ａとの間に衣服１００を挟み込む。図８に取り付け孔１０１の開口縁部における衣服１００を二点鎖線で示している。このように保持リング１４の狭持面４３ａと本体１３の狭持面１９ａは互いに平行に対向して衣服１００を狭持する。上述のように本体１３の狭持面１９ａには押圧突起２３が形成されているので、衣服１００を開口縁部の全周に亘って均等に狭持するのではなく、本体１３の狭持面１９ａの押圧突起２３と保持リング１４の狭持面４３ａとで衣服１００を局所的に強く挟み込むことになる。尚、衣服１００を挟み込まない状態においては、押圧突起２３に保持リング１４の狭持面４３ａが当接する。押圧突起２３に保持リング１４の狭持面４３ａが当接した状態においては、本体１３の狭持面１９ａのうち押圧突起２３が形成されていない部分と保持リング１４の狭持面４３ａとの間には、押圧突起２３の高さに相当する隙間が形成される。
【００３７】
保持リング１４の外周面には、保持リング１４を回転操作する際の滑り止めとなる凹凸が形成されている。凹凸形状は任意であるが、本実施形態では、凸部４４と凹部４５とが周方向に交互に形成されている。凸部４４と凹部４５は全周に亘って交互に形成されている。尚、凸部４４において保持リング１４の肉厚は相対的に厚くなっていて、凹部４５において保持リング１４の肉厚は相対的に薄くなっている。
【００３８】
以上のように構成された衣服用ファン１は例えば以下のようにして衣服１００の取り付け孔１０１に取り付けられる。即ち、衣服１００の表側から本体１３の周壁部１８を取り付け孔１０１に挿入する。周壁部１８は取り付け孔１０１を通って衣服１００の裏側に突出する一方、本体フランジ部１９は取り付け孔１０１を通過することができずに衣服１００の取り付け孔１０１の開口縁部の表面に当接する。衣服１００の裏側に突出した本体１３の周壁部１８に保持リング１４を螺着させる。そして、保持リング１４を時計回りに強く締め込むことで、衣服１００の取り付け孔１０１の開口縁部をリングフランジ部４３と本体フランジ部１９とで狭持する。このように保持リング１４を本体１３に螺着させることで衣服１００に衣服用ファン１を取り付けることができる。逆に、衣服１００から衣服用ファン１を取り外す際には、保持リング１４を反時計回りに回転させて本体１３から保持リング１４を取り外すことで衣服１００の狭持状態を解除して、本体１３を衣服１００の取り付け孔１０１から表側に取り外す。
【００３９】
このように保持リング１４の回転操作という簡単な操作で本体１３と保持リング１４との間に衣服１００を狭持できるので、衣服用ファン１を衣服１００に容易に取り付けることができ、また、衣服１００からの取り外しも容易である。また、保持リング１４を回転させて本体１３と共に衣服１００を狭持するので、従来のようなゴムベルトは不要であり、耐久性にも優れている。
【００４０】
このように保持リング１４を回転させて衣服用ファン１を衣服１００に取り付けたり衣服１００から取り外したりする際、本体フランジ部１９の外周面１９ｃと背面１９ｂにそれぞれ凹凸が形成されているので、それらの凹凸に手を引っ掛けることで本体１３をしっかりと固定することができる。そのため、保持リング１４を回転させる際に、本体１３と保持リング１４が共回りすることがなく、保持リング１４のみを確実に回転させて強く締め込んだり逆に保持リング１４を緩めたりすることができる。例えば、本体フランジ部１９の外周面１９ｃの凹凸に手の指を引っ掛けて本体フランジ部１９を指先で固定したり、本体フランジ部１９の背面１９ｂに手の指や手の平を押し当てるようにしてその凹凸に手を引っ掛けて本体フランジ部１９を固定したりすることができる。また、本体フランジ部１９の外周面１９ｃの凹凸と背面１９ｂの凹凸の両方に手を引っ掛けて固定することもできる。特に、衣服１００の服地が厚い場合には、衣服１００を介して指先を本体フランジ部１９の外周面１９ｃから狭持面１９ａ側に越えるようにすることが困難となるが、そのような場合であっても本体フランジ部１９の背面１９ｂに凹凸が形成されているので、その背面１９ｂの凹凸に手を引っ掛けることで本体１３の回転を阻止することができる。衣服１００の取り付け孔１０１の開口縁部に補強材が取り付けられているような場合も同様であって、本体フランジ部１９の背面１９ｂの凹凸を利用して本体フランジ部１９の回転を容易に阻止することができる。
【００４１】
更に、本体フランジ部１９の外周面１９ｃから背面１９ｂにかけて凹凸が連続して延びていて、外周凸部７０と背面凸部７２の境界部分が突出した角部となっている。そのため、その角部に指先を容易に引っ掛けることができ、本体１３をより一層しっかりと固定することができる。
【００４２】
また、本体フランジ部１９の外周凹部７１を把持する指先が本体フランジ部１９の外周面１９ｃを狭持面１９ａ側に越えて保持リング１４側にはみ出すような場合でも、本体フランジ部１９の外周凹部７１における直径がリングフランジ部４３の直径よりも大きいので、指先が服地を介してリングフランジ部４３の外周面に当たりにくくなる。即ち、服地を介して本体フランジ部１９とリングフランジ部４３を指先で一緒に把持するということが抑制される。そのため、保持リング１４のみをスムーズに回転させることができる。
【００４３】
また、本体１３にはオス側コネクタ４が接続されるが、本体フランジ部１９の凹凸によって衣服用ファン１を衣服１００にしっかりと取り付けることができるので、取り付けた衣服用ファン１が衣服１００に対して回転してしまうことがない。従って、オス側コネクタ４に負荷がかかりにくくその破損を防止することができる。
【００４４】
また、本体１３の本体フランジ部１９の狭持面１９ａに押圧突起２３が形成されているので、押圧突起２３を衣服１００に強く押し付けることができて、衣服用ファン１を衣服１００に確実に取り付けることができる。また、保持リング１４にリングフランジ部４３を設けているので、保持リング１４の狭持面４３ａの径方向の寸法（幅）を拡大することでき、安定した取付状態が得られる。
【００４５】
また、本体１３の周壁部１８の下部１８ｂを衣服１００の取り付け孔１０１に挿入したり取り付け孔１０１から取り外したりする際に、雄ネジ部２１が衣服１００の取り付け孔１０１の開口縁部と摺動する可能性があるが、雄ネジ部２１のネジ山の先端部が丸味を帯びているので、雄ネジ部２１が衣服１００に引っ掛かりにくく、スムーズに本体１３を取り付け孔１０１に抜き差しすることができる。
【００４６】
尚、本実施形態では、本体フランジ部１９の外周面１９ｃと背面１９ｂの両方に凹凸が形成されていたが、何れか一方のみに凹凸が形成されていてもよい。例えば、図１２のように本体フランジ部１９の外周面１９ｃに外周凸部７０と外周凹部７１が形成されている一方、本体フランジ部１９の背面１９ｂには凹凸が形成されていなくてもよい。
【００４７】
また、上記施形態では、保持リング１４を本体ハウジング１５の周壁部１８に螺着する構成であったが、ネジ以外の構成によって保持リング１４を本体ハウジング１５の周壁部１８に回転させつつ装着するようにしてもよい。例えば、図１３〜図１６には、ネジではなく係合溝５０による構成を示している。図１５のように本体ハウジング１５の周壁部１８の下部１８ｂの外周面には係合溝５０が形成されている。該係合溝５０は、斜め下方に向かう傾斜溝５１と、傾斜溝５１の上端部から周壁部１８の下部１８ｂの上端部まで上下方向（軸線方向）に延びる縦溝５２とから構成されている。傾斜溝５１の周方向に対する傾斜角度は４５度未満であることが好ましい。傾斜溝５１の下端部は周壁部１８の下部１８ｂの外周面の上下方向中途部に位置していて本体フランジ部１９から上方に離れて位置している。このような係合溝５０は、本体ハウジング１５の周壁部１８の下部１８ｂの外周面に１８０度対向して一対形成されている。但し、係合溝５０の個数、配置は任意である。
【００４８】
一方、保持リング１４の内周面には、本体１３の係合溝５０に係合する係合突起６０が形成されている。係合突起６０は、本体１３の係合溝５０の個数と配置に対応して形成されていて、本実施形態では１８０度対向した二箇所の位置にそれぞれ径方向内側に向けて突設されている。係合突起６０の形状は任意であるが、例えば円柱状としてよい。尚、保持リング１４の外周面には係合突起６０に対応した位置に突条６１が形成されており、該突条６１が目印となり、突条６１の位置によってその径方向内側に位置する係合突起６０の位置を把握できる。
【００４９】
図１３及び図１４のように保持リング１４を本体１３に装着する際、保持リング１４の係合突起６０を係合溝５０の縦溝５２の上側に位置させて、そこから保持リング１４を下降させて係合突起６０を縦溝５２に係合させる。そして、保持リング１４を正面視において時計回りに回転させることで、係合突起６０が傾斜溝５１の下端部に向けて移動する。このように係合突起６０が係合溝５０の傾斜溝５１に案内されることで、保持リング１４は傾斜溝５１に沿って徐々に下降して本体フランジ部１９に接近していく。従って、リングフランジ部４３と本体フランジ部１９との間に衣服１００を狭持することができる。
【００５０】
このような係合溝５０による構成の場合も本体フランジ部１９の外周面１９ｃや背面１９ｂに凹凸を形成してよい。例えば、図１３や図１４のように本体フランジ部１９の外周面１９ｃに外周凸部７０と外周凹部７１を形成してよい。
【００５１】
また、本体１３と保持リング１４には緩み止め機構を設けることが好ましい。具体的には、本体ハウジング１５の周壁部１８の下部１８ｂの外周面には、上下方向に延びる係止溝５３が形成されている。係止溝５３は、周壁部１８の下部１８ｂの外周面の上端から下端まで上下方向の全長に亘って形成されている。係止溝５３は一本であってもよいが本実施形態では周方向に等間隔で多数本並設されている。そして、この多数本ワンセットになった係止溝５３の群が、１８０度対向して一対設けられている。
【００５２】
一方、保持リング１４は、その全周のうちの一箇所に可撓片６２を備えている。該可撓片６２の左右両側（周方向の両側）には、それぞれスリット６３が形成されている。スリット６３は、保持リング１４の上端から保持リング１４の下端近傍まで延びている。従って、可撓片６２は、その下端部においてのみ保持リング１４の他の部分とつながっていて、その下端部を支点として径方向の内外に弾性変形する。かかる可撓片６２の内面に、本体１３の係止溝５３に係止する係止突条６４が形成されている。係止突条６４は上下方向即ち保持リング１４の軸線方向に沿って延びている。尚、係止突条６４の上下方向の長さは係止溝５３のそれよりも短い。そして、係止突条６４は可撓片６２の上部に形成されている。
【００５３】
上述したように保持リング１４を回転させながら本体１３に装着していく際に、保持リング１４の係止突条６４は本体１３の係止溝５３に順次係止していく。保持リング１４を本体１３に装着していく際、保持リング１４の係止突条６４は、最初に、側面から見て最も右側の係止溝５３に係止する。その位置から更に保持リング１４を正面視時計回りに回転させると、可撓片６２が径方向外側に弾性変形して係止溝５３同士の間の突条を乗り越えて、左隣の係止溝５３に再び係止する。即ち、係止突条６４は右側の係止溝５３から左側の係止溝５３へと順次ラッチの如く係止していく。そして、図１４のように、保持リング１４の係合突起６０が本体１３の係合溝５０の下端部近傍に達すると、一群の多数本の係止溝５３のうち側面から見て最も左側に位置する係止溝５３に係止突条６４が係止する。
【００５４】
このように本体１３の係止溝５３に保持リング１４の係止突条６４が係止することにより、その位置に保持リング１４を係止することができ、保持リング１４の緩みが防止される。また、係止溝５３が多数本並設されているので、何れの係止溝５３に係止突条６４が係止してもその位置で保持リング１４が係止されることになる。従って、衣服１００の厚さが増減しても容易にそれに対応することができ、衣服１００が薄い場合には左寄りの係止溝５３に係止突条６４を係止させればよく、衣服１００が厚い場合には右寄りの係止溝５３に係止突条６４を係止させればよい。
【００５５】
尚、可撓片６２は、保持リング１４の上端よりも上方に所定長さ突出していることが好ましい。保持リング１４の上端から上方に突出した可撓片６２の上方突出部６５を指で径方向外側に押すことで、可撓片６２を強制的に径方向外側に弾性変形させて係止突条６４を係止溝５３から外すことができる。そして、この状態で、保持リング１４を装着時とは反対の方向に回転させることで、保持リング１４を本体１３から取り外すことができる。
【００５６】
尚、保持リング１４を装着時とは反対の方向に回転させようとする回転操作力が所定値を超えると、係止突条６４が係止溝５３から受ける反力によって可撓片６２が径方向外側に弾性変形させられて、係止突条６４が係止溝５３を乗り越えていくように構成してもよい。このように構成すると、保持リング１４を本体１３から取り外すときに、上述した上方突出部６５を指で径方向外側に押す操作が不要となるので便利である。
【００５７】
尚、係止溝５３を一本のみ形成するようにしてもよい。また、本体１３に係合突起６０を形成し、保持リング１４に係合溝５０を形成するようにしてもよい。同様に、本体１３に係止突条６４を形成し、保持リング１４に係止溝５３を形成してもよい。
【００５８】
また、保持リング１４にリングフランジ部４３を設けたが、リングフランジ部４３を設けない構成としてもよい。但し、リングフランジ部４３を設けることにより保持リング１４の狭持面４３ａの幅を拡大できる。
【符号の説明】
【００５９】
１    衣服用ファン
２    バッテリ
３    給電ケーブル
４    オス側コネクタ
１０    モータファン
１１    モータ
１２    主軸
１３    本体
１４    保持リング
１５    本体ハウジング
１６    底面部
１７    天面部
１７ａ  頂上部
１７ｂ  肩部
１８    周壁部
１８ａ  上部
１８ｂ  下部
１９    本体フランジ部
１９ａ  狭持面
１９ｂ  背面
１９ｃ  外周面
２０    通気孔
２１    雄ネジ部
２３    押圧突起
２４    通気孔
２５    差し込み口
２６    受電コネクタ
２７    逃げ部
２８    コネクタ抑え
３０    ベース
３１    カバー
３２    キャップ
３５    開口部
３６    モータ保持部
４０    雌ネジ部
４１    雌ネジ部が形成されていない角度範囲
４３    リングフランジ部
４３ａ  狭持面
４４    凸部
４５    凹部
４６    切欠部
５０    係合溝
５１    傾斜溝
５２    縦溝
５３    係止溝
６０    係合突起
６１    突条
６２    可撓片
６３    スリット
６４    係止突条
６５    上方突出部
７０    外周凸部
７１    外周凹部
７２    背面凸部
７３    背面凹部
１００  衣服
１０１  取り付け孔
【図１】
2019049209.tif 000003
【図２】
2019049209.tif 000004
【図３】
2019049209.tif 000005
【図４】
2019049209.tif 000006
【図５】
2019049209.tif 000007
【図６】
2019049209.tif 000008
【図７】
2019049209.tif 000009
【図８】
2019049209.tif 000010
【図９】
2019049209.tif 000011
【図１０】
2019049209.tif 000012
【図１１】
2019049209.tif 000013
【図１２】
2019049209.tif 000014
【図１３】
2019049209.tif 000015
【図１４】
2019049209.tif 000016
【図１５】
2019049209.tif 000017
【図１６】
2019049209.tif 000018